(57)【要約】      （修正有）【課題】足指留めを取り付けた自転車用ペダルにおいて、ペダルが足指留めによる偏荷重のため回りすぎた時、ペダルを水平位置に戻すためのペダル用補助部材を提供する。【解決手段】中央に回転軸１１が取り付けられ、回転軸に伴って回転することができ、ペダル本体１０の両側には当て板１２が延伸して設けられるペダル本体１０と、内部に収納空間を具える軟質本体２１より構成する。さらに、軟質本体２１の頂上端にはペダル本体に設置される締め付けベルト２３を通すための少なくとも一つの孔が設けられ、軟質本体２１の底端には座体がペダル本体一側の当て板に可動に取り付けられる足指留め２０と、可動に足指留めに相対したほかの一側の当て板に連接され、並びに足指留めの反対方向に延伸する案内面３４を備えて補助部材３０を設ける。その補助部材は連接板３１を含み、連接板は少なくとも一つのねじをもって可動にペダルの側辺に締め付けられ、案内板３３は連接板の一端から側辺に折り返し延伸して案内面を形成する。【選択図】図３
0003165944.tif 000002
【実用新案登録請求の範囲】
【請求項１】
補助部材を備えるペダルの構造であって、
中央に回転軸が取り付けられ、かつそれの両側には当て板が延伸して設けられるペダル本体と、
内部に収納空間を具える軟質本体を含み、
本体の頂上端にはペダル本体に設置される締め付けベルトを通すための少なくとも一つの孔が設けられ、
本体の底端には座体がペダル本体一側の当て板に可動に取り付けられる足指留めと、可動に足指留めに相対したほかの一側の当て板に連接され、並びに足指留めの反対方向に延伸する案内面を備える補助部材とを含むことを特徴とする補助部材を備えるペダルの構造。
【請求項２】
前記補助部材は連接板を含み、連接板は少なくとも一つのねじをもって可動にペダルの側辺に締め付けられ、かつ連接板は足指留めの逆方向に折り返し延伸して案内板を形成し、それによって案内面が形成されることを特徴とする請求項１記載の補助部材を備えるペダルの構造。
【請求項３】
前記補助部材は、ペダル全体の重心を調整し得るように、移動可能に設けられた少なくとも一つに重りを有し、該重りが塊体であることを特徴とする請求項１記載の補助部材を備えるペダルの構造。
【請求項４】
前記締め付けバンドの一端には締め付けバンドの他端が通されて位置することに用いられる締め付け部材が設けられてあることを特徴とする請求項１記載の補助部材を備えるペダルの構造。
【請求項５】
ペダルに用いられる補助部材の構造であって、
少なくとも一つのねじをもって可動にペダルの側辺に締め付けられる連接板と、
連接板の一端から側辺へ折り返し延伸し、それによって案内面を形成する案内板とを含むことを特徴とするペダルに用いられる補助部材の構造。
【考案の詳細な説明】
【技術分野】
【０００１】
本考案は補助部材を備える自転車ペダル（ｐｅｄａｌ）の構造に関し、更に詳しく言えば、それは特に側辺に足指留め及び締め付けベルトセット（ｂｅｌｔ  ｓｅｔ）を取り付けた自転車のペダルを指したもので、ペダルの足指留めに相対する他の一側には補助部材が設けられ、その補助部材はペダルの重心全体が軸心個所に保つよう助力し、並びに使用者が足を足指留め内に履き入ることに有利な案内面を提供するペダル及びその補助部材の構造に関する。
【背景技術】
【０００２】
中華民国特許公示第１９１４３３号「ペダルの足指留め（ｔｏｅ  ｃｌｉｐ／ｔｏｅ  ｓｔｒａｐｓ）」のように、成形された中部は概して収納空間の軟質本体に現われ、頂上端には一端がペダルに取り付けられる締め付けベルトを通すことに用いられる孔が設けられ、底端は座体をもってねじによってペダルに取り付けられた他端に貼り付けられる。足指留めの収納空間は使用者の足及び靴先がペダルから履き入りすることに用いられ、並びに締め付けベルトを用いて締め付け固定される。
【０００３】
ところが、この種の足指留めはペダルの一端に取り付けられ、それの相対端には何も取り付けておらず、そのために重心はペダルの足指留めが取り付けられている一端に偏移し、足指留めの開口は図１に示すように、常態的に上へ回されまたは前方向に向け、使用者が足を足指留めに履き入りする場合は先に手でペダルを動かし、ペダルを回して水平状態に保ち、それから足を前に動かして足指留めに履き入りして固定するので、使用する上で不便でなる。
【考案の概要】
【考案が解決しようとする課題】
【０００４】
上述従来技術の欠点を総合すると、それは概して従来の自転車ペダルに足指留め及び締め付けベルト等アクセサリー（ａｃｃｓｅｓａｒｙ）が取り付けられた場合、ペダル全体の重心が一側に偏移しやすい。そのために足指留めの開口は常態的にペダルに伴って使用者が足を入れにくい角度へ回される。
本考案はこのような欠点を解決するためになされたもので、補助部材を備えるペダルの構造を提出することを目的とする。
【課題を解決するための手段】
【０００５】
本考案は補助部材を備えるペダルの構造であり、ペダル本体、足指留め、および補助部材を含む。
ペダル本体の中央には回転軸が取り付けられ、ペダル本体は回転軸に伴って回転することができ、ペダル本体の両側には当て板が延伸して設けられる。
【０００６】
足指留めは内部に収納空間を具える軟質本体を含み、本体の頂上端にはペダル本体に設置される締め付けベルトを通すための、少なくとも一つの孔が設けられ、本体の底端には座体がペダル本体一側の当て板に可動に取り付けられる。
【０００７】
補助部材は可動に足指留めに相対したほかの一側の当て板に連接され、並びに足指留めの反対方向に延伸する案内面を備える。
【０００８】
補助部材は連接板を含む。連接板は少なくとも一つのねじをもって可動にペダルの側辺に締め付けられる。案内板は連接板の一端から側辺に折り返て延伸し、案内面を形成する。
【考案の効果】
【０００９】
本考案は補助部材の設置によってペダル全体の重心を調整し、足指留めの開口は常態的に後方向へまたは後斜めの上向き方向へ保持することができ、従来のペダルが足指留めの重さによって回りすぎる問題を回避できる。
【００１０】
本考案は、補助部材の案内面は靴との接触面積を増やすことができ、使用者が直接靴先でペダルを動かすことに便利であり、かつ回転によって発生する角度は更に靴先が足指留めの開口に履き入ることに有利である。
【００１１】
本考案は、補助部材には少なくとも一つの重りが可動に設けられ、そのために足指留めのサイズ、材質または重量の違いによってペダル本体の重心を調整することができる。
【図面の簡単な説明】
【００１２】
【図１】従来のペダルの使用常態の意表図である。
【図２】本考案の立体分解図である。
【図３】本考案の立体組合せ図である。
【図４】本考案の使用常態の意表図（一）である。
【図５】本考案の使用常態の意表図（二）である。
【図６】本考案の補助部材と重りの組合せの使用常態の意表図である。
【考案を実施するための形態】
【００１３】
図２及び３に示すように、本考案は補助部材を具えるペダルの構造であり、それはペダル本体１０、足指留め２０と補助部材３０を含む。
【００１４】
ペダル本体１０はそれの中央に回転軸１１が取り付けられ、回転軸１１は可動に自転車のクランク（ｃｒａｎｋ）に締め付けられ、ペダル本体１０は回転軸１１に伴って回転することができ、それによって自転車の駆動の踏みまわしを有利にする。ペダル本体１０の両側にはそれぞれ延伸して当て板１２が設けられ、当て板１２とペダル本体１０は使用者の踏みまわし施力に用いられる。
【００１５】
足指留め２０は内部が概して中空の収納空間に現われる軟質本体２１を含み、軟質本体２１の頂上端にはペダル本体１０に設置される締め付けバンド２３の取り付けに用いられる少なくとも一つの孔２２が設けられ、軟質本体２１の底端は座体２５をもって活動可能にペダル本体１０一側の当て板１２に接合される。締め付けバンド２３の一端には締め付けバンド２３の他端の取り付け定位に用いられる締め付き部材２４が設けられてある。
【００１６】
補助部材３０は連接板３１を含み、連接板３１は少なくとも一つのねじ３２をもってペダル本体１０の足指留め２０に相対する別の一側の当て板１２に可動に締め付けられ、連接板３１は更に足指留め２０の逆方向に折り返し延伸して案内板３３を形成し、案内板３３は案内面３４を具える。
【００１７】
補助部材３０の設置により、ペダル本体１０及び足指留め２０全体的重心は本来の足指留め２０に近い端からペダル本体１０の回転軸１１個所へ移動し、ペダル本体１０が足指留め２０の重量による過度な回しを防止し、並びに足指留め２０の開口を後側または後斜め上向きの方向に保持し、使用者の騎乗を便利にし、足の靴は足指留め２０の開口に順調に履き入れる。
【００１８】
また、使用者が自転車を乗る場合、ペダル本体１０は外力の作用を受けて水平でない角度に回され、図４に示すように、それは案内面３４の設置によって靴先を用いて案内板３３を動かし、ペダル本体１０はそれによって水平位置に回復し、使用者は靴先を直接足指留め２０の内部に履き入れ、更に締め付けバンド２３を足と靴を巡りまわし、並びに締め付け部材２４によって靴をペダル本体１０に締め付け固定する（図５に示す如く）。
【００１９】
本考案は前記補助部材３０の設置により、ペダル全体の重心を調整すして足指留め２０の開口を常態的に後側または後斜め上向きの方向に保持し、従来のペダルが足指留め２０の重さによって過度に回る問題が免れ、かつ補助部材３０の案内面３４は靴との接触面積を増やし、使用者が直接靴先をもってペダルを動かすことを便利にし、更に回しによって発生した角度は靴先を足指留め２０の開口に履き入ることに利用される。
【００２０】
更に図６に示すように、本考案の別の実施例に於いて、補助部材３０には少なくとも一つの重り３５が可動に設けられ、それは足指留め２０のサイズ、材質または重さの違いによってペダル本体１０の重心を調整することができ、その重り３５は重り塊でもよく、その重り３５はねじ３２によって補助部材３０に取り付けられる。
【符号の説明】
【００２１】
１０    ペダル本体
１１    回転軸
１２    当て板
２０    足指留め
２１    本体
２２    孔
２３    締め付けバンド
２４    締め付け部材
２５    座体
３０    補助部材
３１    連接板
３２    ねじ
３３    案内板
３４    案内面
３５    重り
【図１】
0003165944.tif 000003
【図２】
0003165944.tif 000004
【図３】
0003165944.tif 000005
【図４】
0003165944.tif 000006
【図５】
0003165944.tif 000007
【図６】
0003165944.tif 000008